(57)【要約】【課題】スピーカの音圧特性の乱れを低減させ、表示装置の前方側の音圧を向上させる。【解決手段】表示装置（１）は、設置面（２）に設置され、設置面（２）に対向するよう設けられた１又は複数のスピーカ（１１）と、スピーカ（１１）の設置面（２）側、かつ、スピーカ（１１）よりも表示装置（１）の背面側に設けられた背面壁（１２）と、背面壁（１２）から傾斜を有して立ち上がるように形成された傾斜反射板（１３）とを備えている。【選択図】図１
2020025233.tif 000002
【特許請求の範囲】
【請求項１】
設置面に設置される表示装置において、
上記設置面に対向するよう設けられた１又は複数のスピーカと、
上記スピーカの上記設置面側、かつ、上記スピーカよりも表示装置の背面側に設けられた背面壁と、
上記背面壁から傾斜を有して立ち上がるように形成された傾斜反射板と
を備えていることを特徴とする表示装置。
【請求項２】
上記傾斜反射板の先端部分は、上記スピーカの開口部の前面側の縁部よりも上記背面側に位置している
ことを特徴とする請求項１に記載の表示装置。
【請求項３】
上記表示装置を支持するスタンド部を更に備え、
上記スタンド部の根元部分の前面側の縁部は、上記傾斜反射板の先端部分よりも上記背面側に位置している
ことを特徴とする請求項１または２に記載の表示装置。
【請求項４】
上記スピーカの開口部は、円形であり、
上記背面壁の根元から上記傾斜反射板の根元までの長さは上記スピーカの開口部の直径の１/４以上である
ことを特徴とする請求項１〜３の何れか１項に記載の表示装置。
【請求項５】
上記スピーカの開口部は、楕円形、又はトラック型であり、
上記背面壁の根元から上記傾斜反射板の根元までの長さは上記スピーカの開口部の短径の１/４以上である
ことを特徴とする請求項１〜３の何れか１項に記載の表示装置。
【請求項６】
上記スピーカの開口部は、矩形であり、
上記背面壁の根元から上記傾斜反射板の根元までの長さは上記スピーカの開口部の短辺の辺長の１/４以上である
ことを特徴とする請求項１〜３の何れか１項に記載の表示装置。
【請求項７】
上記表示装置において、上記スピーカが設けていない部分にも、上記背面壁および上記傾斜反射板が延伸している
ことを特徴とする請求項１〜６の何れか１項に記載の表示装置。
【請求項８】
請求項１から７の何れか１項に記載の表示装置を備えていることを特徴とするテレビジョン受像機。
【発明の詳細な説明】
【技術分野】
【０００１】
本発明は表示装置及び当該表示装置を備えるテレビジョン受像機に関する。
【背景技術】
【０００２】
従来、薄型テレビジョン受像機において、テレビジョン受像機の正面からのデザインを優先するため、スピーカをテレビジョン受像機の背面側に配置し、スピーカの開口部を下向きにする製品がある。また、下向きスピーカの発音部全体を覆う反射板を配置し、テレビジョン装置の前方側に音声を反射させる例がある（特許文献１）。
【０００３】
具体的には、特許文献１では、下向きスピーカに近い位置に傾斜板を配置し、反射によってテレビジョン装置の前方側に音声を導く技術が開示されている。
【先行技術文献】
【特許文献】
【０００４】
【特許文献１】特開２００６−２３７９１０号公報（２００６年９月７日公開）
【発明の概要】
【発明が解決しようとする課題】
【０００５】
しかしながら、上述のように、下向きスピーカを採用した従来技術には、音質が劣化しやすいという問題があった。
【０００６】
本発明の一態様は、スピーカの音圧特性の乱れを低減させ、表示装置の前方側の音圧を向上させることを目的とする。
【課題を解決するための手段】
【０００７】
上記の課題を解決するために、本発明の一態様に係る表示装置は、設置面に設置され、上記設置面に対向するよう設けられた１又は複数のスピーカと、上記スピーカの上記設置面側、かつ、上記スピーカよりも表示装置の背面側に設けられた背面壁と、上記背面壁から傾斜を有して立ち上がるように形成された傾斜反射板とを備えている。
【発明の効果】
【０００８】
本発明の一態様によれば、スピーカの音圧特性の乱れを低減させ、表示装置の前方側の音圧を向上させることができる。
【図面の簡単な説明】
【０００９】
【図１】本発明の実施形態に係る表示装置の部分断面図である。
【図２】図２の（ａ）は図１に示す表示装置全体の正面図であり、（ｂ）は右上から表示装置全体を見たときの斜視図である。
【図３】表示装置のスタンド部と傾斜反射板との位置関係を示す、図２の（ａ）のＡ部を設置面側から見たときの部分拡大図である。
【図４】本発明の実施形態に係る表示装置の効果を説明するための模式図である。
【図５】本発明の実施形態に係る表示装置の効果を説明するためのグラフである（その１）。
【図６】本発明の実施形態に係る表示装置の効果を説明するためのグラフである（その２）。
【図７】本発明の実施形態に係る表示装置の効果を説明するためのグラフである（その３）。
【図８】本発明の実施形態に係る表示装置の効果を説明するための測定結果である。
【図９】比較例１に係る表示装置の構成および効果を説明するための模式図である。
【図１０】比較例２に係る表示装置の構成および効果を説明するための模式図である。
【発明を実施するための形態】
【００１０】
〔実施形態〕
以下、本発明の実施形態について、図１〜図１０に基づいて詳細に説明する。
【００１１】
（表示装置の概略構成）
以下、表示装置の概略構成について、図１〜図２に基づいて説明する。図１は、本実施形態に係る表示装置１の部分断面図である。図２の（ａ）は、図１に示す表示装置１全体の正面図であり、（ｂ）は右上から表示装置１全体を見たときの斜視図である。
【００１２】
図１〜図２に示すように、表示装置１は、例えばテレビジョン受像機を備えている表示装置であり、設置面２（図４を参照）に設置されている。表示装置１は、スピーカ１１と、背面壁１２と、傾斜反射板１３とを備えている。
【００１３】
表示装置１が発する音声を出力するスピーカ１１は、設置面２に対向するよう設けられている。ここでいう「対向」とは、スピーカ１１が真下を向き設置面２と正対することに限らず、例えばスピーカ１１が斜め前向きの場合も含む。スピーカ１１の数は、一例として、図２の（ａ）に示す１１−１および１１−２のように２であるが、１又は３以上の複数であってもよい。また、本実施形態では、スピーカ１１の音声出力側に防塵目的などを果たすスピーカグリル（図３などを参照）が配置されている。
【００１４】
背面壁１２は、スピーカ１１の設置面２側、かつ、スピーカ１１よりも表示装置１の背面側（後方側）に設けられている。背面壁１２によりスピーカ１１の出力する音声が表示装置１の背面側への拡散を軽減させる。
【００１５】
傾斜反射板１３は、背面壁１２から傾斜を有して立ち上がるように形成されている。傾斜反射板１３は、背面壁１２とは一体または別体となるように形成してもよいが、背面壁１２とは一体的に形成するのはコスト低減との観点からすれば好ましい。また、傾斜反射板１３の傾斜角度について特に限定せず、必要に応じて好適に設計すればよい。
【００１６】
また、以下の説明では、特に区別する必要がない場合、背面壁１２と、傾斜反射板１３とを合わせてリフレクターと呼称する場合がある。
【００１７】
上記の構成によれば、スピーカ１１の音圧特性の乱れを低減させ、表示装置１の前方側（図１の右側）の音圧を向上させることができる。
【００１８】
（傾斜反射板の詳細構成）
本実施形態に係る表示装置１では、スピーカ１１の音圧特性の乱れを低減させ、表示装置１の前方側（図１の右側）の音圧の向上を図るため、図１に示すように、傾斜反射板１３の先端部分１３ａは、スピーカ１１の開口部の縁部１１ａのうち、前面側の縁部１１ａｆよりも表示装置１の背面側（図１の左側）に位置している。
【００１９】
上記の構成によれば、従来の傾斜板によりスピーカの発音部全体を覆う構成に比較すると、前者は傾斜反射板１３がスピーカ１１の開口部の一部を覆うため、スピーカ１１の音圧特性の乱れを低減させ、表示装置１の前方側（図１の右側）の音圧の向上を図ることができる。その具体的な効果は後述する。
【００２０】
（スタンド部の詳細構成）
以下、スタンド部の詳細構成について、図２〜図３に基づいて説明する。図３は、表示装置１のスタンド部１４と傾斜反射板１３との位置関係を示す、図２の（ａ）のＡ部を設置面２側から見たときの部分拡大図である。
【００２１】
図２〜図３に示すように、表示装置１は、表示装置１自身を支持するためのスタンド部１４を更に備えている。本実施形態に係る表示装置１では、スピーカ１１の音圧特性の乱れを低減させ、特に表示装置１の前方側の音圧をより向上させるため、図３のＢ部に示すように、スタンド部１４の根元部分の前面側の縁部１４ａは、傾斜反射板１３の先端部分１３ａよりも表示装置１の背面側（図３の図面の奥側）に位置している。
【００２２】
上記の構成によれば、スタンド部１４の根元部分の前面側の縁部１４ａは、傾斜反射板１３の先端部分１３ａよりも表示装置１の背面側に位置している、換言すれば、傾斜反射板１３の先端部分１３ａは、スタンド部１４の根元部分の前面側の縁部１４ａよりも表示装置１の前方側へ突出しているため、傾斜反射板１３により表示装置１の前方側へ反射する音声はスタンド部１４に妨害されない。このため、スピーカ１１の音圧特性の乱れを低減させ、特に表示装置１の前方側の音圧をより向上させることができる。
【００２３】
（背面壁の長さの構成例）
以下、背面壁の長さの構成例について、図１を参照して説明する。
【００２４】
設置面２から見たとき、スピーカ１１の開口部の形状は、一例としてトラック型である（図３を参照）。本実施形態に係る表示装置１では、スピーカ１１の音圧特性の乱れを低減させ、表示装置１の前方側の音圧の向上をより確実にするため、本願発明者は、背面壁１２の根元（表示装置１の筐体に接続される側）から傾斜反射板１３の根元（図１の左上端部）までの長さはスピーカ１１の開口部の短径の１/４以上にすれば上記目的を達成することができることを見出した。本実施形態では、この知見に基づき、背面壁１２の根元（図１の上端）から傾斜反射板１３の根元（図１の左上端部）までの長さはスピーカ１１の開口部の短径の１/４以上としている。また、本実施形態では、スピーカ１１の開口部の形状はトラック型に限定させず、例えば楕円形であってもよい。
【００２５】
（背面壁の長さの変形例１）
上記例示では、スピーカ１１の開口部は、トラック型である場合を挙げたが、スピーカ１１の開口部の形状はこれに限定されない。以下、背面壁の長さの変形例１について、また図１を参照して説明する。なお、説明の便宜上、上記構成例にてすでに説明した構成について、その説明を繰り返さない。
【００２６】
本変形例１では、スピーカ１１の開口部は、円形である。本変形例１では、背面壁１２の根元から傾斜反射板１３の根元までの長さはスピーカ１１の開口部の直径の１/４以上である。
【００２７】
上記の構成によっても、上記構成例と同様な効果を奏する。
【００２８】
（背面壁の長さの変形例２）
上記例示では、スピーカ１１の開口部は、円形、楕円形、又はトラック型である場合を挙げたが、スピーカ１１の開口部の形状はこれに限定されない。以下、背面壁の長さの変形例２について、同様に図１を参照して説明する。なお、説明の便宜上、上記構成例にてすでに説明した構成について、その説明を繰り返さない。
【００２９】
本変形例２では、スピーカ１１の開口部は、矩形である。本変形例２では、背面壁１２の根元から傾斜反射板１３の根元までの長さはスピーカ１１の開口部の短辺の辺長の１/４以上である。
【００３０】
上記の構成によっても、上記構成例および変形例１と同様な効果を奏する。
【００３１】
（表示装置のスピーカが設けていない部分にも、リフレクターが延伸する構成）
以下、表示装置のスピーカが設けていない部分にも、リフレクターが延伸する構成について、図２の（ａ）を参照して説明する。
【００３２】
上述したように、特に区別する必要がない場合、背面壁１２と、傾斜反射板１３とを合わせてリフレクターと呼称する場合がある。図２の（ａ）の例示では表示装置１は２つのスピーカ１１−１、及び１１−２を備える。図２の（ａ）に示すように、表示装置１において、スピーカ１１が設けていない部分にも、背面壁１２および傾斜反射板１３、すなわちリフレクターが延伸している。スピーカ１１が設けていない部分とは、例えばスピーカ１１−１、及び１１−２の間の部分が挙げられる。
【００３３】
上記の構成によれば、スピーカ１１の音圧特性の乱れを低減させ、特に表示装置１の前方側の音圧を更に向上させることができる。
【００３４】
（本実施形態に係る表示装置の効果の説明）
以下、本実施形態に係る表示装置の効果について、図４〜図８に基づいて説明する。
【００３５】
図４は、本実施形態に係る表示装置１の効果を説明するための模式図である。図４に示すように、表示装置１は、設置面２に設置されている。スピーカ１１が出力する（発する）音声（音波）がスピーカグリルを通して表示装置１の外部へ伝播する。一部の音波は背面壁１２および設置面２に反射されて表示装置１の前方側へ伝播する。また、他の一部音波は傾斜反射板１３に反射されて表示装置１の前方側へ伝播する。また、さらに他の一部音波は設置面２に反射されて表示装置１の前方側へ伝播する。
【００３６】
このように、本実施形態に係る表示装置１は上記の構成を備えることにより、スピーカ１１の出力する音波が表示装置１の背面側へ拡散することを低減し、表示装置１の前方側へ伝播しやすくする。これにより、本実施形態に係る表示装置１は、スピーカ１１の音圧特性の乱れを低減させ、表示装置１の前方側の音圧を向上させることができる。
【００３７】
（測定例１）
図５は、本実施形態に係る表示装置１の効果を説明するためのグラフである（その１）。ここで、表示装置１がリフレクター（背面壁１２および傾斜反射板１３）を備える場合と備えない場合の音圧特性を測定した。図５に示すグラフでは、横軸は音波の周波数を示し、縦軸は音波の強度を示す。点線はリフレクター（背面壁１２および傾斜反射板１３）を備えない場合の音圧特性で、実線はリフレクター（背面壁１２および傾斜反射板１３）を備える場合の音圧特性である。測定条件は、
・表示装置１の左側のスピーカ（例えば図２の（ａ）のスピーカ１１−２を参照）の中心より１メートル離間した位置
測定結果は、図５のグラフが示すように、リフレクターを備えない場合と比較すると、リフレクターを備えることにより、ほぼ全帯域で音圧特性の乱れが少なく、音圧向上効果があることを確認することができた。
【００３８】
（測定例２）
測定例２と上記測定例１との相違点は、測定例２において表示装置１の右側のスピーカが測定対象である点である。
【００３９】
図６は、本実施形態に係る表示装置１の効果を説明するためのグラフである（その２）。ここで、表示装置１がリフレクターを備える場合と備えない場合の音圧特性を測定した。図６に示すグラフでも、横軸は音波の周波数を示し、縦軸は音波の強度を示す。点線はリフレクターを備えない場合の音圧特性で、実線はリフレクターを備える場合の音圧特性である。測定条件は、
・表示装置１の右側のスピーカ（例えば図２の（ａ）のスピーカ１１−１を参照）の中心より１メートル離間した位置
測定結果は、図６のグラフが示すように、測定例１と同様な結果および効果があることを確認することができた。
【００４０】
（測定例３）
測定例３において、スピーカを覆う場合と覆わない場合とを比較した。
【００４１】
図７は、本実施形態に係る表示装置１の効果を説明するためのグラフである（その３）。ここで、スピーカの発音部全体を反射板で覆う場合と覆わない場合の音圧特性を測定した。図７に示すグラフでも、横軸は音波の周波数を示し、縦軸は音波の強度を示す。灰色線はスピーカの発音部全体を反射板で覆う場合の音圧特性で、黒線はスピーカを覆わない場合の音圧特性である。測定条件は、
・表示装置１の左側のスピーカ（例えば図２の（ａ）のスピーカ１１−２を参照）の中心より１メートル離間した位置
測定結果は、図７のグラフが示すように、スピーカの発音部全体を反射板で覆う場合、中域から中高域（６００Ｈｚ〜７０００Ｈｚ）にかけて、音圧特性の乱れ発生したことを確認することができた。
【００４２】
このように、スピーカの近傍を反射板で覆うと音質が劣化する。一方、本実施形態ではスピーカ１１の近傍を覆うわけではないので、音質は劣化しない。
【００４３】
（測定例４）
測定例４において、リフレクターの有無によって表示装置１の前方側と背面側の音圧の変化を検証した。
【００４４】
図８は、本実施形態に係る表示装置１の効果を説明するための測定結果である。ここで、測定信号をピンクノイズとホワイトノイズに分けて音圧値を測定した（図８の（ａ）および図８の（ｂ））。具体的な測定条件は、
・マイク位置は、表示装置（ＴＶ）１の正面／背面の画面中央より１メートル離間した位置
測定結果は、図８に示すように、表示装置１がリフレクターを備える場合、表示装置１の前方側の音圧が向上し、表示装置１がリフレクターを備えない場合、表示装置１の前方側の音圧が降下するだけでなく、表示装置１の背面側の音圧が向上したことを確認することができた。これは、表示装置１がリフレクターを備えない場合、スピーカの出力する音声が表示装置１の背面側への拡散が増強したと考えられる。
【００４５】
また、ピンクノイズよりも、ホワイトノイズの音圧が向上するため、指向性の鋭い高域成分の反射効率が高かったことも確認された。
【００４６】
本実施形態では、表示装置１がリフレクターを備えているので、背面側への音漏れの問題は軽減される。
【００４７】
（比較例１）
以上、背面壁１２と、傾斜反射板１３とを備える本実施形態の表示装置１を説明した。比較のため、以下、比較例１について、図９を参照して説明する。図９は、比較例１に係る表示装置１ａの構成および効果を説明するための模式図である。図９に示す表示装置１ａと本実施形態の表示装置１との相違点は、表示装置１ａの背面壁２２の根元（図９の上端）と傾斜板２３の根元（図９の左上端部）が重なっていることにある。換言すれば、表示装置１ａでは、スピーカ２１のすぐ下に傾斜板２３が配置されている。
【００４８】
このため、図９に示すように、上記の構成によれば、スピーカ近傍に障害物が形成されてしまう（図７の測定例のような状態）。その結果、スピーカの音圧特性に乱れが発生してしまう。
【００４９】
（比較例２）
他に比較例として、比較例２について、図１０を参照して説明する。図１０は、比較例２に係る表示装置１ｂの構成および効果を説明するための模式図である。図１０に示す表示装置１ｂと本実施形態の表示装置１との相違点は、表示装置１ｂでは傾斜板が配置されていないことである。
【００５０】
このため、図１０に示すように、上記の構成によれば、スピーカ３１の近傍に障害物がないので、音圧特性は乱れにくいが、表示装置１ｂ前方への音圧（特に高域成分）が減少してしまう。
【００５１】
上記比較例１および比較例２と比較して、本実施形態における表示装置１では、スピーカの音圧特性の乱れを低減し、表示装置の前方側の音圧を向上させることができる。
【００５２】
〔まとめ〕
本発明の態様１に係る表示装置は、設置面に設置され、上記設置面に対向するよう設けられた１又は複数のスピーカと、上記スピーカの上記設置面側、かつ、上記スピーカよりも表示装置の背面側に設けられた背面壁と、上記背面壁から傾斜を有して立ち上がるように形成された傾斜反射板とを備えている。
【００５３】
上記の構成によれば、スピーカの音圧特性の乱れを低減させ、表示装置の前方側の音圧を向上させることができる。
【００５４】
本発明の態様２に係る表示装置は、上記態様１において、上記傾斜反射板の先端部分は、上記スピーカの開口部の前面側の縁部よりも上記背面側に位置していてもよい。
【００５５】
上記の構成によれば、従来の傾斜板によりスピーカの発音部全体を覆う構成と比較すると、前者は傾斜反射板がスピーカの開口部の一部を覆うため、スピーカの音圧特性の乱れを低減させ、表示装置の前方側の音圧の向上を図ることができる。
【００５６】
本発明の態様３に係る表示装置は、上記態様１または２において、上記表示装置を支持するスタンド部を更に備え、上記スタンド部の根元部分の前面側の縁部は、上記傾斜反射板の先端部分よりも上記背面側に位置していてもよい。
【００５７】
上記の構成によれば、スタンド部の根元部分の前面側の縁部は、傾斜反射板の先端部分よりも表示装置の背面側に位置している、換言すれば、傾斜反射板の先端部分は、スタンド部の根元部分の前面側の縁部よりも表示装置の前方側へ突出しているため、傾斜反射板により表示装置の前方側へ反射する音声はスタンド部に妨害されない。このため、スピーカの音圧特性の乱れを低減させ、特に表示装置の前方側の音圧をより向上させることができる。
【００５８】
本発明の態様４に係る表示装置は、上記態様１〜３の何れか１つにおいて、上記スピーカの開口部は、円形であり、上記背面壁の根元から上記傾斜反射板の根元までの長さは上記スピーカの開口部の直径の１/４以上であってもよい。
【００５９】
上記の構成によれば、スピーカの音圧特性の乱れを低減させ、表示装置の前方側の音圧の向上をより確実にすることができる。
【００６０】
本発明の態様５に係る表示装置は、上記態様１〜３の何れか１つにおいて、上記スピーカの開口部は、楕円形、又はトラック型であり、上記背面壁の根元から上記傾斜反射板の根元までの長さは上記スピーカの開口部の短径の１/４以上であってもよい。
【００６１】
上記の構成によっても、上記態様４と同様な効果を奏する。
【００６２】
本発明の態様６に係る表示装置は、上記態様１〜３の何れか１つにおいて、上記スピーカの開口部は、矩形であり、上記背面壁の根元から上記傾斜反射板の根元までの長さは上記スピーカの開口部の短辺の辺長の１/４以上であってもよい。
【００６３】
上記の構成によっても、上記態様４と同様な効果を奏する。
【００６４】
本発明の態様７に係る表示装置は、上記態様１〜６の何れか１つにおいて、上記表示装置において、上記スピーカが設けていない部分にも、上記背面壁および上記傾斜反射板が延伸していてもよい。
【００６５】
上記の構成によれば、スピーカの音圧特性の乱れを低減させ、特に表示装置の前方側の音圧を更に向上させることができる。
【００６６】
本発明の態様８に係るテレビジョン受像機は、上記態様１〜７の何れか１つに記載の表示装置を備えている。
【００６７】
上記の構成によっても、上記態様１と同様な効果を奏する。
【００６８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６９】
１、１ａ、１ｂ  表示装置
１１、１１−１、１１−２、２１、３１  スピーカ
１１ａ、１１ａｆ  縁部（開口部の縁部）
１２、２２、３２  背面壁
１３、２３  傾斜反射板
１３ａ  先端部分
１４  スタンド部
１４ａ  縁部（スタンドの縁部）
２  設置面
【図１】
2020025233.tif 000003
【図２】
2020025233.tif 000004
【図３】
2020025233.tif 000005
【図４】
2020025233.tif 000006
【図５】
2020025233.tif 000007
【図６】
2020025233.tif 000008
【図７】
2020025233.tif 000009
【図８】
2020025233.tif 000010
【図９】
2020025233.tif 000011
【図１０】
2020025233.tif 000012